(57)【要約】      （修正有）【課題】前中央ボタンを留めたままおよびファスナーを閉じたまま（開けても可）で穿くことのできるウエスト伸縮構造を提案する。さらに、着用時に、ウエスト部分のデザインが本来のデザインとほぼ変わらないズボンを提供する。【解決手段】両脇ポケットに切り込み構造を持つタイプの場合、上前Ａ（ａ）と下前Ｂ（ｂ）を内側でつなぐ伸縮素材Ｘと、下前Ｂとｂを内側でつなぐ伸縮素材の構造を持たせる。さらに、伸縮素材は、中央ファスナー中間地点の裏側に取り付けた環状部品を通す。ポケットに切り込みを持たせず飾りファスナー構造を持つタイプの場合は、中央ファスナーと脇までの間に開閉部分を作りそこにファスナーを左右に取り付ける。ポケットがある場合は、中央ファスナーとポケットの部分の間にファスナーを取り付ける。ベルト内側の脇の位置から中央ファスナーの手前まで、伸縮素材を取り付ける。【選択図】図１
0003144373.tif 000002
【実用新案登録請求の範囲】
【請求項１】
ウエスト部分の前中央ファスナーを開閉することで着脱する構造をもつジーパンおよびズボンに対し、前中央ボタンを留めたままおよびファスナーを閉じたまま（開けても可）で、両脇ポケットのウエスト部分を開き、上前・下前にそれぞれ伸縮素材を加えることにより、ウエストベルト部分がジャージのように開き、尚且つ、伸縮性を持ってジャージのようにウエストにフィットするというウエスト構造。
【請求項２】
前中央ファスナーを開閉することで着脱する構造をもつジーパンおよびズボンに対し、左右に飾りファスナーをつけることで、前中央ボタンを留めたままおよび前中央ファスナーを閉じたままで、利き手側のファスナーを開閉することでジャージのように穿く・脱ぐことができるウエスト構造。
【考案の詳細な説明】
【技術分野】
【０００１】本実用新案は、前中央ファスナーの開閉によって脱ぎ着する構造をもつジーパンおよびズボンのウエスト伸縮構造に関するものである。
【背景技術】
【０００２】前中央ファスナーの開閉によって脱ぎ着をするズボンは、両手・指の細かい動作を必要とする。片方の手のみで穿こうとすると支点となる部分以外ものが、下へ下へと落ちてしまい穿くことが困難である。また、指先に力が入らない場合など、ウエストベルトのボタンやホックを留めることが困難である。ベルト中央のボタンが留まらないと、ファスナーをあげることが、困難である。今までの「ファスナーを使用しないタイプのズボン」は、総ゴム、一部ゴムなどの仕様となり、デザイン上ギャザーが発生する場合が多い。ギャザーを使わず、すっきりとしたデザインでありながら、ボタンを留めることやファスナーの開閉に伴う困難さを回避したものがなかった。
【考案の開示】
【考案が解決しようとする課題】
【０００３】前中央ボタンを留めたままおよびファスナーを閉じたまま（開けても可）で穿くことのできるウエスト伸縮構造を提案する。さらに、着用時に、ウエスト部分のデザインが本来のデザインとほぼ変わらないものを提案する。
【課題を解決するための手段】
【０００４】以上の課題を解決するために、両脇ポケットに切り込み構造をもたせるタイプと、ポケットに切り込み構造をもたせず飾りファスナー構造をもたせるタイプの２タイプを、図面に使用する符号を用いて説明する。【０００５】両脇ポケットに切り込み構造を持つタイプの場合、上前Ａ（ａ）と下前Ｂ（ｂ）を内側でつなぐ伸縮素材Ｘ（ｘ）と、下前Ｂとｂを内側でつなぐ伸縮素材Ｙの構造を持たせる。さらに、伸縮素材Ｙは、中央ファスナー中間地点の裏側に取り付けた環状部品Ｄを通す。【０００６】ポケットに切り込みを持たせず飾りファスナー構造を持つタイプの場合は、中央ファスナーと脇までの間に開閉部分を作りそこにファスナーＰ（ｐ）を左右に取り付ける。ポケットがある場合は、中央ファスナーとポケットの部分の間にファスナーを取り付ける。ベルト内側の脇の位置から中央ファスナー手前まで、伸縮素材Ｚ（ｚ）を取り付ける。
【考案の効果】
【０００７】このように構成されたジーパンおよびズボンは、「穿く・脱ぐ」という動作の際、前中央ファスナーを下げる必要がなく、また、中央ボタンを外したりとめたりする動作の必要がない。【０００８】両脇ポケットに切り込み構造をもたせるタイプは、伸縮素材Ｙが部品Ｄを通ることにより、着用時のベルト部分のデザインが、通常のものとほぼ同じ形状を保つことが可能となるため、見た目にも違和感がない。合わせて、着用時のウエスト部分の身体の動きに柔軟に対応するため、着心地感が良い。【０００９】ポケットに切り込み構造をもたせず飾りファスナー構造をもたせるタイプは、利き手側のファスナーＰ又はｐを開いた状態で、ジャージを穿くようにジーパンやズボンを穿くことが可能となる。ウエスト部分に伸縮素材が渡っているため、ファスナーＰ又はｐの引き上げは、大変簡易に行うことが可能である。
【考案を実施するための最良の形態】
【００１０】両脇ポケットに切り込み構造をもたせるタイプと、ポケットに切り込み構造をもたせず飾りファスナー構造をもたせるタイプの２タイプを提案する。
【実施例１】
【００１１】両脇ポケットに切り込み構造をもたせるタイプは、「前中央ファスナーの開閉を行うことで着脱するズボン」のベルト部分において、ウエスト前身ごろ左右ポケット部分に開閉部を作る＝上前Ａ（ａ）、下前Ｂ（ｂ）。
上前Ａ及びａ開口部端Ｅ（ｅ）に伸縮素材Ｘ及びがｘつく。
Ｘ及びｘは、下前Ｂ及びｂのボタンホール状の穴Ｃ（ｃ）を通って、下前Ｂ（ｂ）の裏側へぬける。
ボタンホール状の穴を抜けたＸ（ｘ）はウエスト脇位置程度のところＦ（ｆ）で縫い止める。
この長さは、最大伸長時に、前中央ファスナーおよびボタンを閉じた状態で、ジャージのようにはいたり脱いだりできる分量を確保するものであり、なおかつ、着用時に十分収縮ものとする。【００１２】下前Ｂ（ｂ）の裏側で、ボタンホール状の穴Ｃ（ｃ）の中央寄りの位置Ｇ（ｇ）に、下前Ｂ（ｂ）を引っ張り合うように、伸縮素材Ｙを縫い付ける。
その際、伸縮素材Ｙは、前中央ファスナーの裏側でファスナーの中間地点の位置に縫い付けた環状の部品Ｄを通過するように加工する。
伸縮素材Ｙの長さは、最大伸長時に、前中央ファスナーおよびボタンを閉じた状態で、ジャージのようにはいたり脱いだりできる分量を確保するものするものであり、なおかつ、着用時に十分収縮する。
【実施例２】
【００１３】ポケットに切り込み構造をもたせず飾りファスナー構造をもたせるタイプは、中央ファスナーの左右に飾りファスナーを付ける。
ポケット口がある場合は、中央ファスナーとポケット口の間の部分に、新規ファスナーＰ（ｐ）を取り付ける。
ウエストベルト位置Ｈ（ｈ）から降りてきたファスナーは腰Ｉ（ｉ）に向かって直線又は曲線を描くように取り付ける。【００１４】新規ファスナーの内側、ベルト位置中央ファスナーから外側Ｊ（ｊ）とベルト両脇位置Ｋ（ｋ）の間に、伸縮素材Ｚ（ｚ）を縫い付ける。
伸縮素材Ｚ（ｚ）は、両脇Ｋ（ｋ）の縫い止まりまでベルト裏側で見えないように加工されてもよい。
伸縮素材Ｚ（ｚ）の長さは、中央ファスナーおよび中央ボタンを閉じた状態で、飾りファスナーどちらかを開けた状態で、最大伸長時に、前中央ファスナーおよびボタンを閉じた状態で、ジャージのようにはいたり脱いだりできる分量を確保するものするものであり、なおかつ、着用時に十分収縮する。
【産業上の利用可能性】
【００１５】前中央ボタンの留め外しおよびファスナーの開閉動作が困難だった手先に力の入りにくい人にも楽に穿ける構造を提供することで、ジーパンおよびズボンのユーザーを飛躍的に伸ばすことが可能になる。【００１６】通常、３ｃｍ程度の幅でサイズ展開が行われるが、この構造では、その概念が外される。
【図面の簡単な説明】
【００１７】
【図１】本実用新案の両脇ポケットに切り込み構造をもたせるタイプの正面図である。
【図２】本実用新案の両脇ポケットに切り込み構造をもたせるタイプの内側図である。
【図３】本実用新案のポケットに切り込み構造をもたせず飾りファスナー構造をもたせるタイプの正面図である。
【符号の説明】
【００１８】Ａ（ａ）  ズボン上前
Ｂ（ｂ）  ズボン下前
Ｃ（ｃ）  ボタンホール状の穴
Ｄ        伸縮素材Ｙを通すための環状部品
Ｅ（ｅ）  上前端伸縮素材縫込み位置
Ｆ（ｆ）  下前内側伸縮素材縫い止り位置
Ｇ（ｇ）  下前内側伸縮素材縫込み位置
Ｘ（ｘ）  伸縮素材
Ｙ        伸縮素材
Ｈ（ｈ）  ファスナー開口部
Ｉ（ｉ）  ファスナー止まり
Ｊ（ｊ）  伸縮素材縫込み位置
Ｋ（ｋ）  伸縮素材縫込み位置
Ｐ（ｐ）  飾りファスナー
Ｚ（ｚ）  伸縮素材
【図１】
0003144373.tif 000003
【図２】
0003144373.tif 000004
【図３】
0003144373.tif 000005